(57)【要約】      （修正有）【課題】戸板を着脱自在に構成することにより、表面デザインを簡単に変更することができる仏壇用扉を提供する。【解決手段】仏壇用扉１は、矩形状の枠体１０と、該枠体の内側に形成された開口を覆う板状の戸板１１とから構成され、前記枠体１０の上面には、前記戸板１１を挿入することができる挿入孔１５が形成され、前記枠体の両側辺には、互いに対向するように前記枠体の内側に現れ、前記戸板を摺動自在に固定する上下に延びたガイドレールを形成する。前記戸板１１を前記枠体１０に摺動自在に固定した後、前記枠体の上面が面一になるように前記挿入孔１５を覆う蓋材２０が着脱自在に設ける。【選択図】図３
0003154568.tif 000002
【実用新案登録請求の範囲】
【請求項１】
矩形状の枠体と、
該枠体の内側に形成された開口を覆う板状の戸板とから構成され、
前記枠体の上面には、前記戸板を挿入することができる挿入孔が形成され、
前記枠体の両側辺には、互いに対向するように前記枠体の内側に現れ、前記戸板を摺動自在に固定する、上下に延びるガイドレールが形成され、
前記戸板を前記枠体に摺動自在に固定した後、前記枠体の上面が面一になるように前記挿入孔を覆う蓋材が着脱自在に設けられてなることを特徴とする仏壇用扉。
【請求項２】
前記蓋材の底面の少なくとも一部が、側面に向かうにつれて斜上してなることを特徴とする請求項１記載の仏壇用扉。
【請求項３】
前記枠体の上面には、前記挿入孔の互いに対向する２辺の両方に切欠きが形成されてなることを特徴とする請求項１記載の仏壇用扉。
【考案の詳細な説明】
【技術分野】
【０００１】
本考案は仏壇用扉に関する。さらに詳細には、室内空間に載置される仏壇に取り付けられた扉に関する。
【背景技術】
【０００２】
仏壇の前面に取り付けられている扉には意匠や装飾が予め施され、この扉に形成された意匠などによって仏壇が載置される室内空間の印象、雰囲気が大きく変化する。
【考案の概要】
【考案が解決しようとする課題】
【０００３】
しかし、扉に施された意匠や装飾は使用者が簡単に変更することができないため、室内の模様替えをした際に仏壇がその部屋に調和しないという問題があった。特に、生活習慣が多様化した現代においては、引越しやリフォームなどにより居住空間が変わる機会が多く、仏壇とそれが載置される部屋との不調和の問題はより顕著である。にもかかわらず、それを解決するためには新たな仏壇を購入するか、業者に依頼して仏壇の意匠や装飾を変更するしかなく、購入者自身がその好みに応じて簡単に仏壇用扉の意匠などを変更できないという問題があった。
【０００４】
また上記従来の仏壇は、同じ形状および構造を有しながらも扉の意匠や色調の異なるものについては別途製造しなければならなかったため、在庫点数が増えてしまうという問題があった。さらに、現代人の趣向は多様化しており、それは仏壇についても例外ではない。多種多彩な意匠や色調を簡単に取り入れることができる仏壇の創出が望まれていた。
【０００５】
本考案は、上記従来の問題に鑑みてなされたものであり、戸板を着脱自在に構成することにより、表面デザインを簡単に変更することができる仏壇用扉を提供することを目的とする。
【課題を解決するための手段】
【０００６】
本考案の仏壇用扉は、矩形状の枠体と、該枠体の内側に形成された開口を覆う板状の戸板とから構成され、前記枠体の上面には、前記戸板を挿入することができる挿入孔が形成され、前記枠体の両側辺には、互いに対向するように前記枠体の内側に現れ、前記戸板を摺動自在に固定する、上下に延びるガイドレールが形成され、前記戸板を前記枠体に摺動自在に固定した後、前記枠体の上面が面一になるように前記挿入孔を覆う蓋材が着脱自在に設けられてなることを特徴としている。
【０００７】
また、前記蓋材の底面の少なくとも一部が、側面に向かうにつれて斜上してなることが好ましい。
【０００８】
また、前記枠体の上面には、前記挿入孔の互いに対向する２辺の両方に切欠きが形成されてなることが好ましい。
【考案の効果】
【０００９】
本考案の仏壇用扉によれば、外部から視認される戸板は着脱自在なので、購入者自身が仏壇を載置する部屋や好みに応じて戸板を取り換えることができる。また、扉に異なる意匠や色調を提供することができるため、意匠や色調ごとに仏壇を製造する必要がなく、製造販売業者は在庫点数を減らすことができ、在庫管理が容易となり、コストも低減できる。さらに、戸板が破損してもその交換が容易であるため、修復の際のコスト負担を軽減できる。さらに、蓋材が仏壇用扉の上面の挿入孔を面一で覆うため、見映えが良く、上面から塵埃が侵入しない。
【図面の簡単な説明】
【００１０】
【図１】本考案の第１の実施の形態による仏壇用扉の概略斜視図である。
【図２】図１の仏壇用扉の拡大端面図である。
【図３】図１の仏壇用扉の戸板を固定する前の状態を示した概略斜視図である。
【図４】図１の仏壇用扉における蓋材の長手方向に平行する拡大縦端面図であって、（ａ）は蓋材の端部を押す前の状態を示した図であり、（ｂ）は押した状態を示した図である。
【図５】本考案の第２の実施の形態による仏壇用扉の概略斜視図である。
【考案を実施するための形態】
【００１１】
本考案の実施の形態にかかわる仏壇用扉について、添付図面に沿って以下詳細に説明する。
【００１２】
図１に示されるように、第１の実施の形態による仏壇用扉１は長方形状で木製の枠体１０と、枠体１０の内側に形成された開口の全面を覆う長方形板状の戸板１１とから構成されている。この仏壇用扉１が取り付けられる仏壇（図示せず）は特に限定されず、たとえば前面が開口した箱形状の仏壇（図示せず）に、前記開口を覆うように仏壇用扉１を１枚または２枚以上ヒンジなどを介して取り付けたものがあげられる。
【００１３】
枠体１０の上面には、図１および図３に示されるように断面が長方形状の挿入孔１５が形成され、枠体１０の上辺の内側にまで貫通している。挿入孔１５は戸板１１を枠体１０内に挿入するためのものである。また、挿入孔１５は後述するガイドレール２６ａ、２６ｂに続いている。
【００１４】
図２に示されるように、枠体１０の両側辺２５ａ、２５ｂの内側には、互いに対向する凹状のガイドレール２６ａ、２６ｂが上下に延びるように形成されている。これによって、戸板１１はガイドレール２６ａ、２６ｂに沿って枠体１０内に挿入され、枠体１０内にて上下に摺動自在に固定される。
【００１５】
また、枠体１０の下辺の内側には、図３に示されるように下辺の長手方向に沿って延びる凹状の溝２７が形成されている。溝２７はガイドレール２６ａ、２６ｂから続くものである。これによって、戸板１１は溝２７によって下方が着脱自在に固定され、枠体１０内で安定する。なお、本実施の形態では溝２７の凹幅はガイドレール２６ａ、２６ｂの凹幅と同じ幅である。この溝２７はなくても良い。
【００１６】
戸板１１を枠体１０内に固定すると、戸板１１が相対的に短いために枠体１０と戸板１１の両方の上面は面一にならず、挿入孔１５には凹部が残ることが好ましい。この凹部に、戸板１１を枠体１０に固定した後に蓋材２０を挿入することができる。蓋材２０は木製の長尺部材であり、該凹部に挿入されたとき、枠体１０の上面と面一になる厚さを有する。これによって、蓋材２０は枠体１０の上面が面一になるように挿入孔１５を覆うことができる。また、蓋材２０は自重によって該凹部内で安定するため、固定手段を必要としない。さらに、蓋材２０は簡単に設置および取り外すことができ、仏壇用扉１の見映えを損なわず、挿入孔１５内部への塵埃の侵入を防ぐ。
【００１７】
図４に示されるように、蓋材２０はその底面が長手方向の両側面に向かうにつれて斜上している。また、蓋材２０の長手方向の長さは挿入孔１５のそれより短く、両者の間には支点Ｐを中心軸として蓋材２０が回動できるように隙間が形成されている。
【００１８】
挿入孔１５に配置した蓋材２０の取外し方法について説明すると、次のとおりである。図４の（ａ）に示されるように、蓋材２０は枠体１０の上面と面一になっているため、指で把持しにくい状態である。そこで、蓋材２０の長手方向の端部を押圧、すなわち力Ｆを加える。すると、図４の（ｂ）に示されるように、支点Ｐを中心軸として力Ｆを加えた側の蓋材２０の底面の斜上部分が下方に移動する一方、長手方向の反対側の端部は上方に持ち上がる。この持ち上がった箇所は指で把持できるため、蓋材２０を挿入孔１５から簡単に取り外すことができ、ひいては枠体１０に挿入された戸板１１の着脱もしやすい。
【００１９】
枠体１０内に着脱自在に固定される戸板１１は、図２に示されるように表示層３０とその両側に配置される透明板からなる支持保護層３１ａ、３１ｂとから構成されている。表示層３０はデザイン（図示せず）が付された和紙からなり、外部から視認されるものである。支持保護層３１ａ、３１ｂは表示層３０を挟んで表示層３０を張設するように支持し、かつ表示層３０が破損または劣化しないように保護するものである。つまり、支持保護層３１ａ、３１ｂは支持層と保護層とを兼任するものである。また、表示層３０と支持保護層３１ａ、３１ｂとはそれぞれ分離可能である。このように構成された戸板１１は、枠体１０内に形成されたガイドレール２６ａ、２６ｂにその外縁部が挟まれることによって支持保護層３１ａ、３１ｂが表示層３０を張設状態に挟むことができる。
【００２０】
第２の実施の形態による仏壇用扉の構成は先に説明した第１の実施の形態によるものと基本的に同様なので、相違点を中心に説明する。蓋材２０は底面がフラットであり、図５に示されるように、フレーム１０の上面には、挿入孔１５の長方形状の対向する２つの長辺の中央近傍にほぼ円弧状の切欠き２１ａ、２１ｂが形成されている点が第１の実施の形態と異なっている。これによって、挿入孔１５に配置されている蓋材２０の側面が切欠き２１ａ、２１ｂにて露出し、その露出箇所を指で把持できるため、蓋材２０の取外しがしやすく、ひいては枠体１０に挿入された戸板１１の着脱もしやすい。
【００２１】
なお、上記実施の形態では枠体は長方形状で木製のものであったが、これに限定されるものではなく、枠体は正方形状でも良く、材料も特に限定されず、金属製、合成樹脂製などであっても良い。
【００２２】
また、上記実施の形態では戸板は長方形板状であったが、枠体の内側に形成された開口の少なくとも一部を覆うものであれば良く、該開口の形状や大きさにあわせて多様な形状にすることができる。たとえば角に丸みを帯びた形状や各辺が曲線状に形成されたものであっても良く、全体が円弧状に形成されたものであっても良い。材質も特に限定されず、木材、金属、合成樹脂、厚紙など多様な材料を使用することができる。
【００２３】
さらに、上記実施の形態では枠体の上面に断面が長方形状の挿入孔が形成されていたが、これに限定されるものではなく、挿入孔はそこに挿入される戸板の断面形状にあわせて多様な形状にすることができる。また、挿入孔は必ずしもガイドレールのサイズに対応したものでなくても良い。
【００２４】
さらに、上記実施の形態では枠体の両側辺の内側に溝状のガイドレールが形成されていたが、これに限定されるものではなく、ガイドレールの形状は戸板の側面の形状にあわせて多様な形状にすることができる。たとえば戸板の両側面に凹溝を形成し、枠体の内側に該凹溝に係合可能な凸状を形成し、これをガイドレールとしても良い。
【００２５】
さらに、上記実施の形態では蓋材は木製の長尺部材であったが、これに限定されるものではなく、挿入孔の形状や大きさにあわせて多様な形状にすることができる。
【００２６】
さらに、上記第１の実施の形態では蓋材の底面の形状は斜上するように構成されていたが、これに限定されるものではなく、蓋材は底面がフラットな直方体であっても良い。その場合、戸板のみを把持して持ち上げれば蓋材を取り外すことができる。また、蓋材の底面の形状は、底面の少なくとも一部が側面に向かうにつれて斜上するものであっても良く、蓋材の底面はたとえば一方の端部のみが斜上したものであっても良く、底面全体が円弧状に形成されたものであっても良い。
【００２７】
さらに、上記第２の実施の形態では枠体の上面には円弧状の切欠きが形成されていたが、切欠きはなくても良く、形状も矩形状、三角形状など多様な形状にすることができる。
【００２８】
さらに、上記実施の形態では表示層は和紙からなるデザインが付されたものであったが、表示層はなくても良く、その材質も洋紙や合成樹脂シートなどであっても良く、デザインが付されたものでなくても良い。
【００２９】
さらに、上記実施の形態では支持層と保護層の機能を兼ね備えた支持保護層を使用したが、支持層および保護層はなくても良く、支持層および保護層は両者の機能を兼ね備えた１層にすることができ、別々の層にすることもできる。また、戸板は３層以上の積層体であっても良い。また、本実施の形態では各層は分離可能であったが、接着剤などによって固定しても良く、その材質も特に限定されない。
【符号の説明】
【００３０】
１  仏壇用扉
１０  枠体
１１  戸板
１５  挿入孔
２０  蓋材
２１ａ、２１ｂ  切欠き
２５ａ、２５ｂ  （枠体の）側辺
２６ａ、２６ｂ  ガイドレール
２７  溝
３０  表示層
３１ａ、３１ｂ  支持保護層
Ｆ  力
Ｐ  支点
【図１】
0003154568.tif 000003
【図２】
0003154568.tif 000004
【図３】
0003154568.tif 000005
【図４】
0003154568.tif 000006
【図５】
0003154568.tif 000007